(57)【要約】【課題】本発明は、照明器具の消費電力を算出することができ、しかも低価格化に好適な点灯制御装置、照明器具および照明システムを提供することを目的とする。【解決手段】光源を点灯させる負荷回路と、該負荷回路を制御する制御回路と、該光源に流れる電流を検出する電流検出回路と、該光源に印加される電圧を検出する電圧検出回路と、外部と通信する通信端子部と、を備え、該制御回路は、該電流検出回路で検出した電流と該電圧検出回路で検出した電圧とから演算した負荷電力と、該制御回路が記憶している機種情報と、を外部からの信号に応じて該通信端子部から出力することを特徴とする。【選択図】図１
2018206741.tif 000002
【特許請求の範囲】
【請求項１】
光源を点灯させる負荷回路と、
前記負荷回路を制御する制御回路と、
前記光源に流れる電流を検出する電流検出回路と、
前記光源に印加される電圧を検出する電圧検出回路と、
外部と通信する通信端子部と、を備え、
前記制御回路は、前記電流検出回路で検出した電流と、前記電圧検出回路で検出した電圧とから演算した負荷電力と、前記制御回路が記憶している機種情報と、を外部からの信号に応じて前記通信端子部から出力することを特徴とする点灯制御装置。
【請求項２】
前記機種情報は、前記点灯制御装置の電気特性仕様を特定できる形名又は型番であることを特徴とする請求項１に記載の点灯制御装置。
【請求項３】
請求項１又は２に記載の点灯制御装置と、
前記点灯制御装置に接続された光源と、を備えたことを特徴とする照明器具。
【請求項４】
点灯制御装置と、前記点灯制御装置に接続された光源と、を有する照明器具と、
前記点灯制御装置を制御する指令装置と、
ユーザからの指令により前記指令装置と通信する指令部と、を備え、
前記点灯制御装置は、前記指令装置の要求に応じて、前記光源の負荷電力と、前記点灯制御装置の機種情報を前記指令装置に通知し、
前記指令装置又は前記指令部は、前記光源の負荷電力と、前記機種情報に応じた補正値とから前記点灯制御装置の消費電力を算出することを特徴とする照明システム。
【請求項５】
前記指令装置又は前記指令部は、前記点灯制御装置の機種情報、前記点灯制御装置に接続される電源の電圧、および調光率から、効率を導出する効率テーブルを記憶した記憶部を備え、
前記指令装置又は前記指令部は、前記効率テーブルにより効率を特定し、前記効率を前記補正値として用いることを特徴とする請求項４に記載の照明システム。
【請求項６】
前記指令装置又は前記指令部は、前記点灯制御装置の機種情報、前記点灯制御装置に接続される電源の電圧、および調光率から、損失電力を導出する損失電力テーブルを記憶した記憶部を備え、
前記指令装置又は前記指令部は、前記損失電力テーブルにより損失電力を特定し、前記損失電力を前記補正値として用いることを特徴とする請求項４に記載の照明システム。
【請求項７】
前記機種情報は前記点灯制御装置に記憶されており、前記指令装置は初期通信時に前記点灯制御装置から前記機種情報を取得することを特徴とする請求項４〜６のいずれか１項に記載の照明システム。
【請求項８】
前記指令部はユーザからの指令により前記指令装置に消費電力を要求し、
前記指令装置は、前記指令部から消費電力の要求を受けると、前記点灯制御装置に前記光源の負荷電力を要求し、
前記点灯制御装置は、前記指令装置から前記光源の負荷電力の要求を受けると、前記指令装置に負荷電力を通知し、
前記指令装置は、前記光源の負荷電力と、前記補正値とから前記点灯制御装置の消費電力を算出し、ユーザに通知することを特徴とする請求項４〜７のいずれか１項に記載の照明システム。
【発明の詳細な説明】
【技術分野】
【０００１】
本発明は、点灯制御装置、照明器具および照明システムに関する。
【背景技術】
【０００２】
特許文献１には、光源負荷の特性にバラつきがあり、且つ光源負荷の周囲温度に変化があっても十分な精度で入力電力を求めることのできる点灯装置及びそれを用いた照明器具、並びに照明システムが開示されている。具体的には、制御部は、光源負荷に供給する電力の大きさを決定する電力設定値、及び電流検出抵抗で検出した電流検出値を用いて光源負荷に流れる負荷電流が一定値となるように電力変換部の動作を制御し、負荷電力演算部は、電力設定値と電圧検出部で検出した電圧検出値とを用いて光源負荷の負荷電力を求め、入力電力推定部は、求めた負荷電力に対して回路損失を補正して入力電力を推定する。
【先行技術文献】
【特許文献】
【０００３】
【特許文献１】特開２０１４−０２６７３７号公報
【発明の概要】
【発明が解決しようとする課題】
【０００４】
特許文献１に開示の技術は、光源を点灯させる点灯装置に消費電力を推定する入力電力推定部を設けるものである。特許文献１に開示の技術では、入力電力推定部を点灯装置に設け、入力電力推定部で消費電力を推定するので、点灯装置での処理が複雑になる。また、点灯装置で消費電力を推定する場合、ＣＰＵ等の記憶媒体の容量を増大させる必要があるため、点灯装置として汎用部品を使用できない。そのため、点灯装置のコストが増大してしまう。
【０００５】
一般に、照明システムは複数台の照明器具を備える。つまり、照明システムには複数の点灯装置がある。そのような照明システムにおいて、特許文献１に開示の高価な点灯装置を用いると、照明システムの導入コストが増大してしまう。
【０００６】
本発明は、上述のような課題を解決するためになされたもので、照明器具の消費電力を算出することができ、しかも低価格化に好適な点灯制御装置、照明器具および照明システムを提供することを目的とする。
【課題を解決するための手段】
【０００７】
本願の発明に係る点灯制御装置は、光源を点灯させる負荷回路と、該負荷回路を制御する制御回路と、該光源に流れる電流を検出する電流検出回路と、該光源に印加される電圧を検出する電圧検出回路と、外部と通信する通信端子部と、を備え、該制御回路は、該電流検出回路で検出した電流と、該電圧検出回路で検出した電圧とから演算した負荷電力と、該制御回路が記憶している機種情報と、を外部からの信号に応じて該通信端子部から出力することを特徴とする。
【０００８】
本願の発明に係る照明器具は、点灯制御装置と、該点灯制御装置に接続された光源と、を備える。該点灯制御装置は、該光源を点灯させる負荷回路と、該負荷回路を制御する制御回路と、該光源に流れる電流を検出する電流検出回路と、該光源に印加される電圧を検出する電圧検出回路と、外部と通信する通信端子部と、を備え、該制御回路は、該電流検出回路で検出した電流と、該電圧検出回路で検出した電圧とから演算した負荷電力と、該制御回路が記憶している機種情報と、を外部からの信号に応じて該通信端子部から出力することを特徴とする。
【０００９】
本願の発明に係る照明システムは、点灯制御装置と、該点灯制御装置に接続された光源と、を有する照明器具と、該点灯制御装置を制御する指令装置と、ユーザからの指令により該指令装置と通信する指令部と、を備え、該点灯制御装置は、該指令装置の要求に応じて、該光源の負荷電力と、該点灯制御装置の機種情報を該指令装置に通知し、該指令装置又は該指令部は、該光源の負荷電力と、該機種情報に応じた補正値とから該点灯制御装置の消費電力を算出する。
【００１０】
本発明のその他の特徴は以下に明らかにする。
【発明の効果】
【００１１】
本発明によれば、負荷電力と、機種情報に応じた補正値とを利用して照明器具の消費電力を正確に算出できる。また、指令装置または指令部で消費電力を算出するので、点灯制御装置で消費電力を算出する場合と比べて低価格化に適した点灯制御装置、照明器具および照明システムを提供することができる。
【図面の簡単な説明】
【００１２】
【図１】実施の形態１に係る点灯制御装置のブロック図である。
【図２】照明器具の斜視図である。
【図３】光源ユニットの斜視図である。
【図４】照明システムの構成図である。
【図５】照明システムの通信シーケンスを示す図である。
【図６】効率テーブルを示す図である。
【図７】ハードウェアで実現された制御回路の構成図である。
【図８】ソフトウェアで実現された制御回路の構成図である。
【図９】損失電力テーブルを示す図である。
【発明を実施するための形態】
【００１３】
本発明の実施の形態に係る点灯制御装置、照明器具および照明システムについて図面を参照して説明する。同じ又は対応する構成要素には同じ符号を付し、説明の繰り返しを省略する場合がある。
【００１４】
実施の形態１．
図１は、実施の形態１に係る点灯制御装置１０等のブロック図である。点灯制御装置１０には光源３が接続されている。点灯制御装置１０は、負荷回路１、電圧検出回路２、電流検出回路４、制御回路５および通信端子部６を備えている。負荷回路１は、光源３を点灯させる回路である。負荷回路１は、たとえば周知の力率改善回路とＤＣＤＣコンバータ（直流（Ｄｉｒｅｃｔ  ｃｕｒｒｅｎｔ）−直流コンバータ）回路とを有する。交流電力を直流電力に変換する周知の回路を負荷回路１とすることができる。
【００１５】
電圧検出回路２は光源３に印加される電圧を検出する回路である。電圧検出回路２は、たとえば直列接続された２つの抵抗素子で光源３に印加される電圧を分圧する分圧回路である。電流検出回路４は光源３に流れる電流を検出する回路である。電流検出回路４は、たとえば光源３の低電圧側に接続された抵抗素子である。
【００１６】
制御回路５は負荷回路１を制御する回路である。制御回路５は、情報を書き込み、記憶させることが可能な回路であり、その情報を抽出することで予め定められた処理を実行する。制御回路５は例えばマイコンで構成することができる。点灯制御装置１０の生産工程において、その点灯制御装置１０の機種情報を制御回路５の記憶装置に記憶させる。機種情報とは、点灯制御装置１０の電気特性仕様を特定できる形名又は型番である。機種情報は点灯制御装置１０のなかに記憶されていればよく、必ずしも制御回路５に記憶させる必要はない。
【００１７】
制御回路５は電流検出回路４と電圧検出回路２に接続されている。制御回路５は電流検出回路４で検出した電流と、電圧検出回路２で検出した電圧とから、点灯制御装置１０が点灯させている光源３の負荷電力を算出することが可能である。
【００１８】
通信端子部６は、制御回路５と直接接続されており外部と通信する部分である。通信端子部６は、双方向の通信を行う部分であり、例えばＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）方式で制御信号を送受信する端子を含む。前述の制御回路５は、算出した負荷電力と、制御回路５が記憶している機種情報と、を外部からの信号に応じて通信端子部６から出力する。
【００１９】
図２は、照明器具９の斜視図である。照明器具９は、光源ユニット１３と、光源ユニット１３を天井に保持するために天井に固定された器具本体１２と、を備えている。光源ユニット１３が器具本体１２に固定されることで、光源ユニット１３が天井に保持される。
【００２０】
図３は、光源ユニット１３の斜視図である。光源ユニット１３は、点灯制御装置１０と、光源３と、制御ユニット１４を備えている。制御ユニット１４は、調光コントローラ等からの信号を点灯制御装置１０を制御する信号に変換する。制御ユニット１４は、点灯制御装置１０の通信端子部６と接続され、点灯制御装置１０に対して例えばＵＡＲＴ方式の制御信号のように双方向の通信を行う。制御ユニット１４は、調光コントローラ等の信号が点灯制御装置１０を直接制御出来ない場合に使用される。例えば、制御ユニット１４は無線モジュールである。制御ユニット１４は調光コントローラ等と無線通信を行い、調光コントローラ等からの指令を制御ユニット１４が点灯制御装置１０を制御する信号に変換することで、光源３を制御する。
【００２１】
図４は、実施の形態１に係る照明システム２０の構成図である。照明システム２０は、指令部７、指令装置８および複数の照明器具９を備えている。指令部７は、ユーザからの指令により指令装置８と通信する部分である。より詳しく言えば、指令部７は、ユーザが指令装置８に直接指令を送受信するためのＰＣ又はリモコン等からなる指令手段である。
【００２２】
指令装置８は、複数の照明器具９の点灯制御装置１０を制御する装置である。より詳しく言えば、指令装置８は照明器具９の調光等を制御する調光コントローラである。複数の照明器具９はすべて図２の照明器具９と同じものである。照明システム２０は、指令部７と指令装置８の間で無線通信を行い、指令装置８と複数の照明器具９の間で無線通信を行うものである。すべての無線通信を有線通信におきかえてもよい。
【００２３】
照明システム２０が、照明器具９の正確な消費電力をユーザに通知するシーケンスの概要を説明する。まず、指令部７が指令装置８を介して複数の照明器具９に対し機種情報を要求する。すなわち、複数の照明器具９は機種情報の応答指令を受ける。複数の照明器具９は、この応答指令を受けると、点灯制御装置１０から制御ユニット１４を介して指令装置８へ機種情報を送信する。機種情報の送信は応答指令を受けたすべての照明器具９が個別に行う。つまり、すべての照明器具９が指令装置８に機種情報を送信する。
【００２４】
その後、消費電力をユーザに知らせる処理が行われる。まず、ユーザが指令部７を操作することで、指令装置８に対し照明器具９の消費電力を要求する。この要求は、指令部７から指令装置８に送信され、指令装置８が複数の照明器具９に送信する。複数の照明器具９がこの指令を受けると、点灯制御装置１０が制御ユニット１４を介して指令装置８へ負荷電力を送信する。負荷電力とは、光源３で消費されている電力である。指令装置８又は指令部７は、光源３の負荷電力と、その光源３を制御する点灯制御装置１０の機種情報に応じた補正値とから点灯制御装置１０の消費電力を算出する。算出された消費電力がユーザに通知される。点灯制御装置１０の消費電力とは、光源３を発光させるために消費する電力のことである。点灯制御装置１０の消費電力と照明器具９の消費電力とは同じ意味である。
【００２５】
このように、指令装置８又は指令部７において、負荷電力と補正値から消費電力を算出する。このシーケンスについて図５を参照しつつより詳しく説明する。図５は、実施の形態１に係る照明システム２０の通信シーケンスを示す図である。
【００２６】
一般的な照明システムでは、初期設定時に、指令装置８とその制御対象となる照明器具９を紐付しグループ設定を行う。つまり、指令装置８によって、指令装置８の制御対象となる個々の照明器具９を認識できるようにする。その手段については様々な方法がある。一般的な方法としては、指令装置８が複数の照明器具９の固有アドレスを吸い上げ、ユーザが指令部７を操作して指令装置８によって制御する照明器具９を選定する。これにより、指令装置８と、その指令装置８によって制御される複数の照明器具９が確定する。この作業はグループ設定と呼ばれる。
【００２７】
実施の形態１に係る照明システム２０では、このグループ設定の初期通信時に、指令部７が指令装置８に対して照明器具９の固有アドレスと機種情報を要求する。この要求は図５における信号ＴＡで表される。信号ＴＡを受けた指令装置８は、複数の照明器具９に対し固有アドレスと機種情報を要求する。この要求は信号ＴＢで表されている。信号ＴＢは複数の照明器具９に送信される。
【００２８】
信号ＴＢを受けた複数の照明器具９は、固有アドレスと機種情報とを応答する。信号ＴＣは、照明器具９が指令装置８に固有アドレスと機種情報を送信することを示す。信号ＴＢを受けたすべての照明器具９が個別に信号ＴＣを出す。固有アドレスと機種情報を予め点灯制御装置１０に記憶させておき、それを読み出すことで信号ＴＣを生成することができる。たとえば点灯制御装置１０の制御回路５に予め固有アドレスと機種情報を記憶させておき、制御回路５からその固有アドレスと機種情報を送信する。
【００２９】
信号ＴＣを受けた指令装置８は、複数の照明器具９の固有アドレスと機種情報を信号ＴＤとして指令部７に対して送信する。以上の通信により、指令装置８と指令部７は、初期通信時に、指令装置８が制御する複数の照明器具９の機種情報を把握することができる。この初期通信により、ユーザからの消費電力の求めに応じる準備が整う。
【００３０】
ユーザが照明器具９の消費電力をモニタする場合、ユーザからの指令により指令部７は指令装置８に消費電力を要求する。この要求は図５の信号ＴＥで表されている。指令装置８は、指令部７から消費電力の要求を受けると、照明器具９の点灯制御装置１０に光源３の負荷電力を要求する。この要求は図５の信号ＴＦで表されている。
【００３１】
照明器具９は、信号ＴＦを受信した直後の負荷電力を算出する。具体的には、制御回路５が指令装置８から光源３の負荷電力の要求を受けると、制御回路５は、電流検出回路４で検出した電流と、電圧検出回路２で検出した電圧とから、点灯制御装置１０が点灯させている光源３の負荷電力を算出する。その後、制御回路５は、算出した負荷電力の値を通信端子部６を介して指令装置８に通知する。この通知は図５の信号ＴＧで表されている。
【００３２】
信号ＴＧを受けた指令装置８は、光源３の負荷電力と、補正値とから点灯制御装置１０の消費電力を算出する。補正値とは、消費電力の算出に必要であり、しかも機種情報によって変化する値である。実施の形態１における補正値は、照明器具９の効率である。効率とは、負荷電力と消費された電力との比率である。指令装置８は、既に得られた機種情報により、対象となる照明器具９の効率を求める。効率を求める際には、効率を導出する効率テーブルを用いる。効率テーブルは指令装置８の記憶部に予め記憶しておくことが好ましい。
【００３３】
図６は、効率テーブルを示す図である。効率テーブルは効率を導出するためのテーブルである。効率テーブルは、点灯制御装置１０の機種情報、点灯制御装置１０に接続される電源の電圧、および調光率から、効率を導出することができるテーブルである。指令装置８は照明器具９の制御主体なので、電源電圧と調光率の情報を予め有している。指令装置８は、初期通信時に取得した機種情報、並びに、予め有している電源電圧の情報と調光率の情報から、効率テーブルを参照して、照明器具９の機種に応じた効率を導出する。そして、指令装置８は、負荷電力と、導出した効率とから消費電力を算出する。
【００３４】
点灯制御装置１０が消費する消費電力は次式で求められる。
Ｗｉｎ＝Ｗｏｕｔ／α
ここで、Ｗｉｎは消費電力であり、Ｗｏｕｔは負荷電力であり、αは効率である。
例えば、機種がＡであり、電源電圧が２００Ｖであり、消費電力モニタ時の調光率が５０％の場合、図６の効率テーブルから効率は８７％であることが分かる。つまりαは８７％である。この場合、負荷電力が１７Ｗであれば、消費電力は、１７Ｗ／８７％＝１９．５Ｗとなる。この演算は、効率テーブルを記憶している機器である指令装置８で実施することが好ましい。指令装置８で算出した消費電力の情報が信号ＴＨとして指令部７に伝送される。指令部７の画面等に消費電力を表示してユーザに対して消費電力を通知する。消費電力を音声でユーザに通知してもよい。
【００３５】
ユーザが消費電力の通知を求めた照明器具９について上述のシーケンスを進めることで、その照明器具の消費電力をユーザに通知する。したがって、ユーザが特定の１つの照明器具９の消費電力を求めた場合はその照明器具９について上述のシーケンスを進め、ユーザが複数の照明器具９の消費電力を求めた場合は当該複数の照明器具９について上述のシーケンスを進める。
【００３６】
このように、指令装置８は、効率テーブルにより照明器具９の効率を特定し、その効率を補正値とする。そして、指令装置８において、受信した負荷電力と、補正値とから、消費電力を演算する。補正値として効率を用いたが、別のパラメータを用いてもよい。前述したとおり、補正値とは、消費電力の算出に必要であり、しかも機種情報によって変化する値である。機種情報を消費電力の算出に反映させることで消費電力を正確に求めることができる。
【００３７】
指令装置８と照明器具９の初期通信時に指令装置８が点灯制御装置１０から機種情報を取得することで、初期通信後の任意のタイミングでユーザの求めに応じた消費電力の算出が可能となる。
【００３８】
ところで、指令装置８と指令部７は、製品の仕様上、ＣＰＵの記憶媒体の容量が多いものを使用することが一般的である。そのため、指令装置８と指令部７の記憶容量は照明器具９の記憶容量よりも大きいことが多い。したがって、効率テーブルを照明器具９に記憶させたり、消費電力の算出を照明器具９で実行させたりする構成とした場合、照明器具９の記憶容量を高めたり処理速度を向上させたりする必要が生じるので、照明器具９のコストアップになる。これに対し、指令装置８と指令部７は記憶容量が大きく、処理速度も高いことが多いので、指令装置８又は指令部７に効率テーブルを保存したり、指令装置８又は指令部７で消費電力を算出したりしてもコストアップとならないことが多い。よって、効率テーブルは指令装置８か指令部７に保存し、消費電力の算出は指令装置８か指令部７で行うことが好ましい。
【００３９】
上記の効果を得るためには、点灯制御装置１０は、指令装置８の要求に応じて、光源３の負荷電力と、点灯制御装置１０の機種情報を指令装置８に通知する必要がある。実施の形態１では点灯制御装置１０の制御回路５がこの役割を担う。したがって制御回路５は、指令装置８の要求に応じて光源３の負荷電力と点灯制御装置１０の機種情報を指令装置８に通知するための処理回路を備える。処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００４０】
処理回路が専用のハードウェアである場合、処理回路は例えば、単一回路、複合回路、プログラム化したプロセッサ、並列プログラム化したプロセッサ、ＡＳＩＣ、ＦＰＧＡ、またはこれらを組み合わせたものが該当する。負荷電力の通知と機種情報の通知を別々の処理回路で実現してもよいし、これらの機能をまとめて処理回路で実現してもよい。
【００４１】
処理回路がＣＰＵの場合、負荷電力の通知機能と機種情報の通知機能は、ソフトウェア、ファームウェア、またはソフトウェアとファームウェアとの組み合わせにより実現される。ソフトウェアまたはファームウェアはプログラムとして記述され、メモリに格納される。処理回路はメモリに記憶されたプログラムを読み出して実行することにより、各機能を実現する。すなわち、処理回路は、負荷電力の通知と機種情報の通知が結果的に実行されることになるプログラムを格納するためのメモリを備える。またこれらのプログラムは、負荷電力の通知と機種情報の通知をコンピュータに実行させるものであるともいえる。ここで、メモリとは、たとえばＲＡＭ、ＲＯＭ、フラッシュメモリー、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等が該当する。
【００４２】
制御回路５の各機能について、一部を専用のハードウェアで実現し、一部をソフトウェアまたはファームウェアで実現するようにしてもよい。図７は、制御回路５をハードウェアで実現する場合の制御回路５の構成図である。図８は、制御回路５をソフトウェアで実現する場合の制御回路５の構成図である。なお、指令部７および指令装置８についても上述の処理回路の構成を採用することができる。
【００４３】
実施の形態１における照明システム２０は、指令装置８又は指令部７が予め記憶している効率テーブルから点灯制御装置１０の機種情報に応じた補正値を取得し、照明器具９の外で、その補正値と負荷電力から消費電力を算出する。これにより、照明システム２０は消費電力を正確に算出でき、しかも低価格化に好適なものとなっている。実施の形態１に係る点灯制御装置１０、照明器具９および照明システム２０はこの特徴を逸脱しない範囲において様々な変形が可能である。例えば、実施の形態１では、ユーザの求めに応じてユーザに消費電力を通知したが、ユーザの求めがなくても定期的に消費電力を通知したり、定期的に取得した消費電力を記憶装置に記憶させたりしてもよい。
【００４４】
指令装置８において消費電力を算出せずに、指令部７において消費電力を算出してもよい。指令部７において消費電力を算出する場合、指令部７に効率テーブルを記憶した記憶部を設けることが好ましい。この場合、指令装置８は照明器具９が応答した負荷電力を信号ＴＨとしてそのまま指令部７に送信する。そして、指令部７は、機種情報を基に効率テーブルから補正値を求め、その補正値と負荷電力から消費電力を演算し、消費電力を画面等に表示する。
【００４５】
実施の形態１に記載した変形例は以下の実施の形態に係る点灯制御装置、照明器具および照明システムにも応用することができる。なお、以下の実施の形態に係る点灯制御装置、照明器具および照明システムは実施の形態１との共通点が多いので実施の形態１との相違点を中心に説明する。
【００４６】
実施の形態２．
実施の形態２に係る点灯制御装置、照明器具および照明システムは、補正値として損失を用いる点が実施の形態１と異なる。実施の形態２に係る指令装置８又は指令部７は、損失電力テーブルを記憶する記憶部を有している。損失電力テーブルは、点灯制御装置１０の機種情報、点灯制御装置１０に接続される電源の電圧、および調光率から、損失電力を導出するテーブルである。
【００４７】
図９は、損失電力テーブルを示す図である。指令装置８は、点灯制御装置１０の機種情報に合わせて、補正値として損失電力テーブルから損失電力を選定して、消費電力を算出する。具体的には、点灯制御装置１０の消費電力は次式で求められる。
Ｗｉｎ＝Ｗｏｕｔ＋β
ここで、Ｗｉｎは消費電力であり、Ｗｏｕｔは負荷電力であり、βは損失電力である。例えば、機種Ａ、電源電圧２００Ｖ、消費電力モニタ時の調光率５０％であれば、損失電力βは２．６Ｗであることが分かる。負荷電力が１７Ｗの場合、消費電力は１７Ｗ＋２．６Ｗ＝１９．６Ｗになる。この演算は、損失電力テーブルを記憶している機器、すなわち指令装置８または指令部７で実施する。演算された消費電力はユーザに対して任意の方法で通知する。
【００４８】
このように、実施の形態２に係る照明システムでは、損失電力テーブルにより機種情報に固有の損失電力を特定し、その損失電力を補正値として用いることで、消費電力を算出する。よって機種情報が反映された正確な消費電力を算出することができる。
【符号の説明】
【００４９】
５  制御回路、  ７  指令部、  ８  指令装置、  ９  照明器具、  １０  点灯制御装置、  ２０  照明システム
【図１】
2018206741.tif 000003
【図２】
2018206741.tif 000004
【図３】
2018206741.tif 000005
【図４】
2018206741.tif 000006
【図５】
2018206741.tif 000007
【図６】
2018206741.tif 000008
【図７】
2018206741.tif 000009
【図８】
2018206741.tif 000010
【図９】
2018206741.tif 000011